(57)【要約】【課題】トイレにおいて、下方への指向性の光によって、便座に着座して読書や携帯電話のメールチェックなどを行う際の作業面を十分に明るくし、かつ、周辺への拡散性の光によってトイレ内の全般的な明るさを確保するもので、下方への指向性の光と周辺への拡散性の光を得るために二つの光源を用いることなく、一つの光源で済ますことができる安価なトイレ用照明器具を提供することを目的とする。【解決手段】トイレの天井直付照明器具において、拡散透光性のカバー１３を備え、指向性の光１６は、光源全体を包囲しない範囲であって光源の上方に設けた反射鏡１５による反射光とし、拡散性の光１７は、反射鏡以外の方向に向かって光源から直接発せられた光がカバーを透過した光とした。【選択図】　図１
2004119287.tif 000002
【特許請求の範囲】
【請求項１】
トイレの天井に設置して用いるトイレ用照明器具において、一光源で、下方への指向性の光と周辺への拡散性の光とを両者同時に照射することを特徴とするトイレ用照明器具。
【請求項２】
前記照明器具は拡散透光性のカバーを備え、前記指向性の光は、光源全体を包囲しない範囲であって光源の上方に設けた反射鏡による反射光とし、前記拡散性の光は、該反射鏡以外の方向に向かって光源から直接発せられた光が該カバーを透過した光としたことを特徴とする請求項１記載のトイレ用照明器具。
【請求項３】
前記カバーには光源下方に位置する部分に開口穴を有し、前記反射板の中心と該開口穴の中心は光源の中心を通る垂線上にあって、かつ、該反射板と該開口穴の水平面に対する投影面積を略同一にしたことによって、該反射鏡による反射光のほとんどが該開口穴を通過して照射面へ直接照射させたことを特徴とする請求項２記載のトイレ用照明器具。
【請求項４】
前記照明器具は拡散透光性のカバーを備え、前記指向性の光は、光源の下方に設けた集光レンズを透過した光とし、前記拡散性の光は、該集光レンズ以外の方向に向かって光源から直接発せられた光が該カバーを透過した光としたことを特徴とする請求項１記載のトイレ用照明器具。
【請求項５】
前記反射鏡と前記集光レンズの両者を兼ね備えたことを特徴とする請求項２乃至４の何れかに記載のトイレ用照明器具。
【請求項６】
前記カバーは着色によって拡散性を成したことを特徴とする請求項２乃至４の何れかに記載のトイレ用照明器具。
【至急項７】前記カバーはシボ加工を施すことによって拡散性を成したことを特徴とする請求項２乃至４の何れかに記載のトイレ用照明器具。
【請求項７】
前記カバーは拡散レンズによって拡散性を成したことを特徴とする請求項２乃至４の何れかに記載のトイレ用照明器具。
【請求項８】
前記照明器具の天井への取付け位置を便器先端の真上付近としたことを特徴とする請求項１乃至８の何れかに記載のトイレ。
【発明の詳細な説明】
【０００１】
【発明の属する技術分野】
本発明は、トイレ用照明器具に関し、特にトイレの天井等に直付し、トイレ内での読書や携帯電話のメールチェック等といった閲覧を伴なう作業に好適なトイレ用照明器具に関するものである。
【０００２】
【従来の技術】
図３に示すトイレ用照明器具０３は従来の照明器具の第一の例で、ランプ５２は６０Ｗ白熱電球ホワイトで、ランプソケット（図示せず）を内蔵しカバー５３を固定した本体５０がトイレの天井００に取付けられ、ランプからの光はカバーを介して拡散光となり、トイレ内全体に照射されている。近年トイレにおいて、便座に着座して読書や携帯電話のメールチェックなど、用便とは異なる作業を行う人が増えているが、従来の照明器具による拡散光の場合、手元照度は実測したところ３００ルクス程度であった。ＪＩＳ　Ｚ９１１０（１９９７年）照度基準によれば、トイレにおける読書の推奨照度は記載されていないものの、居間における推奨照度３００〜７５０ルクスからして、従来照明による３００ルクスでは不十分である。
また、ＪＩＳ照度基準は青年に対する基準であり、高齢者においてはこれの２〜３倍必要と言われていることから、高齢になればなるほど従来照明による３００ルクスでは不十分といった問題を有していた。
【０００３】
図４に示す照明器具０４は従来の照明器具の第二の例で、７０は本体、７２は２７Ｗのコンパクト蛍光ランプ、７３はコンパクト蛍光ランプ７２の光を指向光として下方へ照射する略回転放物面を持つ反射鏡、７４は周辺への光となる４０Ｗの管形蛍光ランプ、７５は拡散透光性のカバー、７６は点灯装置、０９は天井、７８は下方への指向性の光、７９は周辺への拡散性の光である。この照明器具を広さ８畳のリビングを模した実験室の天井中央に設置した結果、直下のテーブル面で平均照度として６２０ルクスが得られ、壁面の上半分では平均照度６５ルクスが得られている（例えば特許文献１参照）。
したがって、直下で新聞等を読む際は明るく便利で、かつ周辺の明るさは確保されているので安全に用便を行うことができる。
【０００４】
【特許文献１】
特開平１１−１１１０２４号公報（５頁、第１図）
【０００５】
【発明が解決しようとする課題】
しかしながら、下方への指向性の光と周辺への拡散性の光を得るために、二つの光源が用いられており、光源、ソケット、配線の材料費が２セット分必要となり、割高になるといった問題を有していた。
【０００６】
本発明は、上記問題を解決するためになされたもので、本発明の目的は、トイレ内において、通常必要となる拡散性の光と、読書などにおいて必要となる指向性の光とを、より簡便な構成で同時に得ることが可能なトイレ用照明器具を提供することにある。
【０００７】
【課題を解決するための手段】
上記目的を達成するために本発明の請求項１の発明は、トイレの天井に設置して用いるトイレ用照明器具において、一光源で、下方への指向性の光と周辺への拡散性の光とを両者同時に照射した。
【０００８】
また、請求項２の発明は、前記照明器具は拡散透光性のカバーを備え、前記指向性の光は、光源全体を包囲しない範囲であって光源の上方に設けた反射鏡による反射光とし、前記拡散性の光は、該反射鏡以外の方向に向かって光源から直接発せられた光が該カバーを透過した光とした。
【０００９】
これにより、下方への指向性の光によって、便座に着座して読書や携帯電話のメールチェックなどを行う際の作業面が明るくなり、便利で、目への負担を軽減できる。また、この指向性の光によって空間が引き立つので、今までにないドラマチックな演出空間を、特に入室時に体感できる。
また、反射鏡以外の方向に向かって光源から直接発せられた光を透過し拡散するカバーを備えたので、拡散性の光が得られ、それによって周辺の明るさも確保され、安全に用便が行える。さらには、指向性の光と拡散性の光を一つの光源で実現したので、器具を安価に製作することができる。
【００１０】
本発明の請求項３の発明は、前記カバーには光源下方に位置する部分に開口穴を有し、前記反射板の中心と該開口穴の中心は光源の中心を通る垂線上にあって、かつ、該反射板と該開口穴の水平面に対する投影面積を略同一にしたことによって、該反射鏡による反射光のほとんどが該開口穴を通過して照射面へ直接照射させた。
【００１１】
これにより、照射面へ直接照射したので、反射光による指向性の光が途中でカバー等に吸収されることなく、照射面まで到達するので、照射効率が良い。
【００１２】
本発明の請求項４の発明では、前記照明器具は拡散透光性のカバーを備え、前記指向性の光は、光源の下方に設けた集光レンズを透過した光とし、前記拡散性の光は、該集光レンズ以外の方向に向かって光源から直接発せられた光が該カバーを透過した光とした。
【００１３】
これにより、下方への指向性の光によって、便座に着座して読書や携帯電話のメールチェックなどを行う際の作業面が明るくなり、便利で、目への負担を軽減できる。また、この指向性の光によって空間が引き立つので、今までにないドラマチックな演出空間を、特に入室時に体感できる。
また、集光レンズ以外の方向に向かって光源から直接発せられた光を透過し拡散するカバーを備えたので、拡散性の光が得られ、それによって周辺の明るさも確保され、安全に用便が行える。さらには、指向性の光と拡散性の光を一つの光源で実現したので、器具を安価に製作することができる。
【００１４】
本発明の請求項５の発明は、前記反射鏡と前記集光レンズの両者を兼ね備えた。
【００１５】
これにより、さらに光の指向性がアップする。もしくは、低光出力の光源で効率良く指向性の光を実現できるばかりでなく、消費電力を抑えることもできるため、より経済的であることは言うまでもない。
【００１６】
本発明の請求項６、請求項７、および請求項８の発明は、前記カバーは着色、またはシボ加工、または拡散レンズによって拡散性を成した。
【００１７】
これにより、拡散性がアップし、よりやわらかい拡散光が実現できる。
【００１８】
本発明の請求項９の発明は、前記照明器具の天井への取付け位置を便器先端の真上付近とした。
【００１９】
これにより、指向性の光が便座着座時の手元に明るく照射され、読書や携帯電話によるメールチェックなどに対するタスク照明として、有効に活用することができる。
【００２０】
【発明の実施の形態】
以下に本発明の実施の形態を、添付図面により詳細に説明する。
【００２１】
【実施例】
図１は本発明の実施の形態に係る照明器具の断面図である。
照明器具０１は、本体１０、ランプソケット１１、ミニクリプトンランプ１２、カバー１３、反射鏡１５で構成され、トイレの天井００に取付けられている。照明器具０１の取付位置は、便器先端の真上付近である（図示せず）。カバー１３は乳白色の樹脂で成形され、ネジにより本体１０と係合している。カバー１３は、ミニクリプトンランプ１２の直下に開口穴１４を有しており、開口穴径は反射鏡１５の外径と略同等サイズである。反射鏡１５は、略回転放物面を持つ反射鏡で、ミニクリプトンランプ１２の上方にあってミニクリプトンランプ全体を包囲しない範囲に配設されている。
【００２２】
反射鏡１５に向かってミニクリプトンランプ１２から発せられた光は、反射鏡１５で反射し、カバー１３の開口穴１４を通過して照射される。反射鏡１５は略回転放物面なので、反射光は平行光となり、指向性の光１６として下方へ照射される。
【００２３】
一方、反射鏡１５以外の方向で、かつ直下以外の方向に向かってミニクリプトンランプ１２から発せられた光は、カバー１３を透過して周辺に照射されている。カバー１３は、酸化チタンなどの顔料が添加された乳白色の樹脂で成形され、内面にはシボ加工が施されており、この顔料とシボ加工によって透過する光は拡散性の光１７となる。また、直下方向にミニクリプトンランプ１２から発せられた光は、カバー１３の開口穴１４を通過し、単に下方に従来並みの明るさで照射されている。
【００２４】
その結果、直下方向にミニクリプトンランプ１２から発せられた従来並みの光に加え、反射光による指向性の光１６によって、便座着座時の手元を明るく照らすことができる。すなわち、便座に着座して読書や携帯電話のメールチェックなどを行う際の作業面が明るくなり、便利で、目への負担を軽減できる。また、この指向性の光によって空間が引き立つので、今までにないドラマチックな演出空間を、特に入室時に体感できる。さらに、拡散性の光１７によって周辺の明るさも確保され、安全に用便が行える。
【００２５】
また、指向性の光と拡散性の光を一つの光源で実現したので、器具を安価に製作することができる。
【００２６】
図２は本発明の別の実施の形態に係る照明器具の断面図である。
【００２７】
照明器具０２は、本体１０、ランプソケット１１、ミニクリプトンランプ１２、カバー３５、で構成され、トイレの天井００に取付けられている。照明器具０２の取付位置は、便器先端の真上付近である（図示せず）。カバー３５は透明の樹脂で成形され、ネジにより本体１０と係合している。
【００２８】
カバー３５の側面には、断面形状が外側に凸状の波形であって、光源の中心軸に対し略同心円状に形成された拡散レンズ部３３があり、これによってミニクリプトンランプ１２から入射した光は、拡散性の光３７となって周辺に照射される。また、カバー３５の下面は、集光レンズ部３２があり、断面形状は下方に凸のＲ形状となっている。これによってミニクリプトンランプ１２から入射した光は、指向性の光３６となって下方に照射される。
【００２９】
その結果、指向性の光によって、便座着座時の手元を明るく照らすことができ、便座に着座して読書や携帯電話のメールチェックなどを行う際の作業面が明るくなり、便利で、目への負担を軽減できる。さらに、拡散性の光によって周辺の明るさも確保され、安全に用便が行える。
【００３０】
また、指向性の光と拡散性の光を一つの光源で実現したので、器具を安価に製作することができる。
【００３１】
以上の実施例において、反射鏡と集光レンズの両者を用いて指向性の光を作り出しても良く、その場合はさらに光の指向性がアップする。また、低光出力の光源で効率良く指向性の光を実現できるばかりでなく、消費電力を抑えることもできるため、より経済的であることは言うまでもない。
【００３２】
また、ランプはミニクリプトンランプに限らず、白熱電球、ハロゲン電球、メタルハライドランプ、電球型蛍光ランプ、コンパクト蛍光ランプなどでも構わない。また、集光レンズの断面形状を下方に凸のＲ形状としたが、上方のみ凸のＲ形状、或いは上下共凸のＲ形状、或いは上方が凹のＲ形状で下方が凸のＲ形状としても良い。
【００３３】
【発明の効果】
以上述べた通り、本発明によれば、トイレにおいて、下方への指向性の光によって、便座に着座して読書や携帯電話のメールチェックなどを行う際の作業面を十分に明るくし、かつ、周辺への拡散性の光によってトイレ内の全般的な明るさを確保することができる。さらには、下方への指向性の光と周辺への拡散性の光を一つの光源で済ますことができる安価なトイレ用照明器具を提供することができる。
【図面の簡単な説明】
【図１】本発明の一実施例に係る照明器具の断面図である。
【図２】本発明の一実施例に係る照明器具の断面図である。
【図３】従来の照明器具の第一の例を示す正面図である。
【図４】従来の照明器具の第一の例を示す構成図である。
【符号の説明】
００…トイレの天井
０１，０２…照明器具
０３，０４…従来の照明器具
０９…天井
１０，５０，７０…本体
１１…ランプソケット
１２…ミニクリプトンランプ
１３，３５，５３…カバー
１４…開口穴
１５，７３…反射鏡
１６，３６，７８…指向性の光
１７，３７，７９…拡散性の光
３２…集光レンズ部
３３…拡散レンズ部
５２…６０Ｗ白熱電球
７２…コンパクト蛍光ランプ２７Ｗ
７４…管形蛍光ランプ４０Ｗ
７５…拡散透光性のカバー
７６…点灯装置
【図１】
2004119287.tif 000003
【図２】
2004119287.tif 000004
【図３】
2004119287.tif 000005
【図４】
2004119287.tif 000006